(57)【要約】【課題】キャップが安定して回転するようにして、キャップの頂面の一部のみに摩耗が集中しないようにする。【解決手段】動弁機構１に回転機構４０を設ける。その回転機構４０は、ロッカアーム２０がバルブ８を閉じる側の戻り方向Ｒに揺動するリフト時後半に、キャップ３０に対してロッカアーム２０がその長さ方向の一方ｐに位置ズレするのを利用して付勢力を蓄える。そして、その後のバルブ８が閉じることでロッカアーム２０によるキャップ３０の押圧力が下がる非リフト時に、前記付勢力でキャップ３０のロッカアーム２０の幅方向の一方の側部をロッカアーム２０の長さ方向の一方ｐに付勢することで、キャップ３０をその周方向の一方に回転させる。それらの繰返しで、キャップ３０をその周方向の一方に非リフト時毎に断続的に回転させる。【選択図】図５
2016142231.tif 000002
【特許請求の範囲】
【請求項１】
カム（１０）に駆動されて揺動するロッカアーム（２０）と、バルブ（８）のステム（８３）の端部に取り付けられたキャップ（３０）とを備え、ロッカアーム（２０）でキャップ（３０）を介してステム（８３）を押圧することでバルブ（８）を駆動する内燃機関の動弁機構において、
ロッカアーム（２０）が揺動するときに、キャップ（３０）に対してロッカアーム（２０）がその長さ方向（ｐ，ｑ）に位置ズレするのを利用して、キャップ（３０）をその周方向の一方に断続的に回転させる回転機構（４０）を備えたことを特徴とする内燃機関の動弁機構。
【請求項２】
回転機構（４０）は、キャップ（３０）に対してロッカアーム（２０）がその長さ方向の一方（ｐ）に位置ズレするのを利用して付勢力を蓄え、その後に前記付勢力でキャップ（３０）のロッカアーム（２０）の幅方向の一方の側部をロッカアーム（２０）の長さ方向の一方（ｐ）に付勢することでキャップ（３０）をその周方向の一方に回転させる請求項１記載の内燃機関の動弁機構。
【請求項３】
回転機構（４０）は、ロッカアーム（２０）がバルブ（８）を閉じる側の戻り方向（Ｒ）に揺動するリフト時後半に、前記付勢力を蓄え、その後のバルブ（８）が閉じることでロッカアーム（２０）によるキャップ（３０）の押圧力が下がる非リフト時に、前記付勢力でキャップ（３０）を回転させることで、キャップ（３０）を非リフト時毎に断続的に回転させる請求項２記載の内燃機関の動弁機構。
【請求項４】
回転機構（４０）は、キャップ（３０）のロッカアーム（２０）の前記一方の側部に当接する当接部（４１）と、リフト時後半にキャップ（３０）から当接部（４１）を介して力を受けることで前記付勢力を蓄え、非リフト時に前記付勢力で当接部（４１）を介してキャップ（３０）の前記一方の側部を付勢する付勢部（４５）とを備えた請求項３記載の内燃機関の動弁機構。
【請求項５】
当接部（４１）はボールであり、ロッカアーム（２０）とは別体に形成された保持器（４２）を介してロッカアーム（２０）にその長さ方向（ｐ，ｑ）に相対変位可能に取り付けられた請求項４記載の内燃機関の動弁機構。
【請求項６】
付勢部（４５）はスプリングであり、前記付勢力はスプリングの弾性力である請求項４又は５記載の内燃機関の動弁機構。
【請求項７】
回転機構（４０）は、キャップ（３０）の側部に周方向に間隔をおいて凹設された複数の係合凹部（４８）を備え、
非リフト時には、当接部（４１）が係合凹部（４８）に係合しつつロッカアーム（２０）の長さ方向の一方（ｐ）に変位することで、キャップ（３０）がその周方向の一方に回転し、
ロッカアーム（２０）がバルブ（８）を開く側のリフト方向（Ｌ）に揺動するリフト時前半には、キャップ（３０）に対してロッカアーム（２０）がその長さ方向の他方（ｑ）に当接部（４１）と共に位置ズレすることで、当接部（４１）が元々係合していた係合凹部（４８）からその隣の係合凹部（４８）に移動する請求項４〜６のいずれか一項に記載の内燃機関の動弁機構。
【発明の詳細な説明】
【技術分野】
【０００１】
本発明は、内燃機関のバルブを駆動する動弁機構に関する。
【背景技術】
【０００２】
内燃機関のバルブを駆動する動弁機構の中には、図１１ａに示す従来例（特許文献１）の動弁機構９０がある。この動弁機構９０は、カム９１に駆動されて揺動するロッカアーム９２と、バルブ８のステム８３の端部に取り付けられたキャップ９３とを備えている。そして、ロッカアーム９２でキャップ９３を介してステム８３を押圧することでバルブ８を駆動する。
【先行技術文献】
【特許文献】
【０００３】
【特許文献１】特開２０１３−１８５４６５号公報
【発明の概要】
【発明が解決しようとする課題】
【０００４】
このような動弁機構９０では、一般的にステム８３の端部に対してキャップ９３が回転可能に遊嵌されているが、キャップ９３を回転させるための機構はなかった。但し、バルブ８が閉じることでロッカアーム９２によるキャップ９３の押圧力が下がる非リフト時（ベース円時）等には、キャップ９３が内燃機関の振動等で僅かに回転することがある。その回転により、キャップ９３の頂面のロッカアーム９２に対する当り部が徐々に回転方向にシフトする場合には、ロッカアーム９２によるキャップ９３の頂面の摩耗が回転方向に分散するため、頂面の一部のみに摩耗が集中しないことになる。
【０００５】
しかしながら、特に内燃機関の低速回転時等、所定の運転状態では、振動が不足すること等により、キャップ９３がほとんど回転しない。それにより、図１１ｂに示すように、キャップ９３の頂面の一部のみに摩耗Ｆが集中してしまう。その摩耗Ｆの集中により、キャップ９３の頂面に筋目が形成され、その筋目（摩耗Ｆ）にロッカアーム９２の押圧部が嵌り込むことで、ますますキャップ９３が回転し難くなってしまう。そのため、その筋目が形成された部分のみに摩耗Ｆがますます集中してしまう。
【０００６】
そこで、キャップが安定して回転するようにして、キャップの頂面の一部のみに摩耗が集中しないようにすることを目的とする。
【課題を解決するための手段】
【０００７】
上記目的を達成するため、本発明の内燃機関の動弁機構は、カムに駆動されて揺動するロッカアームと、バルブのステムの端部に取り付けられたキャップとを備え、ロッカアームでキャップを介してステムを押圧することでバルブを駆動する内燃機関の動弁機構において、ロッカアームが揺動するときに、キャップに対してロッカアームがその長さ方向に位置ズレするのを利用して、キャップをその周方向の一方に断続的に回転させる回転機構を備えたことを特徴とする。
【０００８】
その回転機構の具体的な態様は、特に限定されないが、次のＡ，Ｂの態様を例示する。
［Ａ］ロッカアームは、前記位置ズレする際にキャップのロッカアームの幅方向の一方の側部にロッカアームの長さ方向の一方及び他方への力を加え、回転機構は、キャップのその周方向の一方への回転のみを許容し、他方への回転を許容しないことで、キャップをその周方向の一方に断続的に回転させる態様。
［Ｂ］回転機構は、キャップに対してロッカアームがその長さ方向の一方に位置ズレするのを利用して付勢力を蓄え、その後に前記付勢力でキャップのロッカアームの幅方向の一方の側部をロッカアームの長さ方向の一方に付勢することでキャップをその周方向の一方に回転させる態様。
なお、上記Ｂの態様において、「ロッカアームの長さ方向の一方」は、ロッカアームの先端側方向であってもよいし、ロッカアームの基端側方向であってもよい。
【０００９】
上記のＢの態様において、回転機構のより具体的な態様は、特に限定されないが、次のＢ１，Ｂ２の態様を例示する。但し、構造がより簡単になる点で、Ｂ２の態様であることが好ましい。
［Ｂ１］回転機構は、ロッカアームがバルブを開く側のリフト方向に揺動するリフト時前半に、前記付勢力を蓄え、その後のロッカアームがバルブを閉じる側の戻り方向に揺動するリフト時後半は、前記付勢力を開放することなく維持し、その後のバルブが閉じることでロッカアームによるキャップの押圧力が下がる非リフト時に、前記付勢力で付勢することで、キャップを非リフト時毎に断続的に回転させる態様。
［Ｂ２］回転機構は、ロッカアームがバルブを閉じる側の戻り方向に揺動するリフト時後半に、前記付勢力を蓄え、その後のバルブが閉じることでロッカアームによるキャップの押圧力が下がる非リフト時に、前記付勢力でキャップを回転させることで、キャップを非リフト時毎に断続的に回転させる態様。
【発明の効果】
【００１０】
本発明によれば、揺動時にキャップに対してロッカアームが位置ズレするのを利用して、キャップをその周方向の一方に断続的に回転させるため、内燃機関の振動等を利用してランダムに回転させる場合（従来例）とは違い、常に安定してキャップが回転する。そのため、キャップの頂面の摩耗は回転方向に分散して、頂面の一部のみに摩耗が集中しない。
【図面の簡単な説明】
【００１１】
【図１】実施例１の動弁機構において、ａはその全体を示す斜視図、ｂはキャップ及びその周辺を示す斜視図である。
【図２】実施例１の動弁機構のロッカアーム及びキャップ並びにそれらの周辺を示す、ａは平面図、ｂは側面図、ｃは正面図である。
【図３】実施例１の動弁機構のロッカアーム及びキャップ並びにそれらの周辺を示す、ａは平面断面図（IIIａ−IIIａ断面の図）、ｂは側面断面図（IIIｂ−IIIｂ断面の図）、ｃは正面断面図（IIIｃ−IIIｃ断面の図）である。
【図４】実施例１の動弁機構のキャップ及びその周辺を示す、ａは平面断面図（IVａ−IVａ断面の図）、ｂは側面断面図（IVｂ−IVｂ断面の図）である。
【図５】実施例１の動弁機構のロッカアーム及びキャップ並びにそれらの周辺において、ａはリフト時前半を示す側面断面図、ｂはリフト時後半を示す側面断面図、ｃは非リフト時を示す側面断面図である。
【図６】実施例１の動弁機構のキャップ及びその周辺において、ａ１はリフト時前半を示す側面断面図（VIa1−VIa1断面の図）、ａ２は同リフト時前半を示す平面断面図（VIa2−VIa2断面の図）、ｂ１はリフト時後半を示す側面断面図（VIb1−VIb1断面の図）、ｂ２は同リフト時後半を示す平面断面図（VIb2−VIb2断面の図）、ｃ１は非リフト時を示す側面断面図（VIc1−VIc1断面の図）、ｃ２は同非リフト時を示す平面断面図（VIc2−VIc2断面の図）である。
【図７】ａは実施例２の動弁機構のキャップ及びその周辺を示す平面断面図、ｂは実施例３の動弁機構のキャップ及びその周辺を示す側面断面図である。
【図８】ａは実施例４の動弁機構のキャップ及びその周辺を示す側面断面図、ｂは実施例５の動弁機構のキャップ及びその周辺を示す側面断面図である。
【図９】実施例６の動弁機構のキャップ及びその周辺を示す、ａは平面断面図（IXａ−IXａ断面の図）、ｂは側面断面図（IXｂ−IXｂ断面の図）である。
【図１０】実施例７の動弁機構のキャップ及びその周辺において、ａ１はリフト時前半を示す側面断面図（Ｘa1−Ｘa1断面の図）、ａ２は同リフト時前半を示す平面断面図（Ｘa2−Ｘa2断面の図）、ｂ１はリフト時後半を示す側面断面図（Ｘb1−Ｘb1断面の図）、ｂ２は同リフト時後半を示す平面断面図（Ｘb2−Ｘb2断面の図）である。
【図１１】従来例の動弁機構において、ａはその全体を示す斜視図、ｂはキャップ及びその周辺を示す斜視図である。
【発明を実施するための形態】
【００１２】
上記のＢ２の態様において、回転機構のより具体的な態様は、特に限定されないが、次のＢ２αの態様を例示する。
［Ｂ２α］回転機構は、キャップのロッカアームの前記一方の側部に当接する当接部と、リフト時後半にキャップから当接部を介して力を受けることで前記付勢力を蓄え、非リフト時に前記付勢力で当接部を介してキャップの前記一方の側部を付勢する付勢部とを備えた態様。
【００１３】
上記のＢ２αの態様において、当接部は、特に限定されないが、次のａ〜ｃの態様を例示する。
［ａ］当接部は、ボールである態様。
［ｂ］当接部は、立方体状又はその他の直方体状の部材である態様。
［ｃ］当接部は、円柱状の部材である態様。
【００１４】
上記のＢ２αの態様において、ロッカアームに対する当接部の取付けは、特に限定されないが、次のｄ，ｅの態様を例示する。但し、ロッカアーム自体の構造が複雑にならない点で、ｅの態様であることが好ましい。
［ｄ］当接部は、ロッカアームに直接その長さ方向に相対変位可能に取り付けられた態様。
［ｅ］当接部は、ロッカアームとは別体に形成された保持器を介してロッカアームにその長さ方向に相対変位可能に取り付けられた態様。
【００１５】
上記のＢ２αの態様において、当接部は、どの方向からキャップの側部に当接してもよいが、次のｆ，ｇ態様を例示する。
［ｆ］当接部は、キャップの側方からキャップの側面に当接する態様。
［ｇ］当接部は、キャップの上方からキャップの頂面の縁部に当接する態様。
【００１６】
上記のＢ２αの態様において、付勢部は、特に限定されないが、次のｈ〜ｊの態様を例示する。但し、より簡単に付勢部を構成できる点でｈの態様であることが好ましい。
［ｈ］付勢部は、スプリングであり、前記付勢力はスプリングの弾性力である態様。
［ｉ］付勢部は、油圧装置であり、前記付勢力は油圧である態様。
［ｊ］付勢部は、Ｎ極どうし又はＳ極どうしを向けて設置された一組の磁石であり、前記付勢力は磁力である態様。
【００１７】
上記のＢ２αの態様において、キャップの回転の具体的な態様は、特に限定されないが、次のｋ，ｌの態様を例示する。但し、より確実にキャップを回転させることができる点で、ｌの態様であることが好ましい。
［ｋ］キャップの側部における当接部が当接する部分は滑らかな面であり、非リフト時には、当接部がキャップの側部に摩擦で係合しつつロッカアームの長さ方向の一方に変位することで、キャップがその周方向の一方に回転し、ロッカアームがバルブを開く側のリフト方向に揺動するリフト時前半には、キャップに対して当接部が摩擦に抗してロッカアームと共にその長さ方向の他方に位置ズレする態様。
［ｌ］回転機構は、キャップの側部に周方向に間隔をおいて凹設された複数の係合凹部を備え、非リフト時には、当接部が係合凹部に係合しつつロッカアームの長さ方向の一方に変位することで、キャップがその周方向の一方に回転し、ロッカアームがバルブを開く側のリフト方向に揺動するリフト時前半には、キャップに対してロッカアームがその長さ方向の他方に当接部と共に位置ズレすることで、当接部が元々係合していた係合凹部からその隣の係合凹部に移動する態様。
【実施例１】
【００１８】
図１〜図６に示す実施例１の動弁機構１は、内燃機関のバルブ８を駆動するための機構である。そのバルブ８は、吸気バルブであっても、排気バルブであってもよい。そのバルブ８は、内燃機関の吸気口又は排気口を塞ぐためのバルブ本体８５と、バルブ本体８５から延びるステム８３とを備えている。そして、ステム８３には、バルブ８を閉じる方向に付勢するバルブスプリング（図示略）が外嵌されている。そして、動弁機構１は、カム１０と、ロッカアーム２０と、キャップ３０と、回転機構４０とを備えている。
【００１９】
［カム１０］
カム１０は、内燃機関の回転に従い回転するカムシャフト（図示略）に突設されている。このカム１０は、断面形状が真円形のベース円１１と、ベース円１１から突出したノーズ１２とを備えている。
【００２０】
［ロッカアーム２０］
ロッカアーム２０は、カム１０に駆動されて揺動する。そして、揺動時には、キャップ３０を介してステム８３を押圧することでバルブ８を駆動する。具体的には、このロッカアーム２０は、基端部がラッシュアジャスタ等のピボット２９により揺動可能に支持されている。そして、長さ方向中間部に、カム１０に当接するローラ２１が、シャフト２１ａ及びベアリング２１ｂ，２１ｂ・・を介して回転可能に支持されている。そして、先端部にキャップ３０を介してバルブ８を駆動するための作用部２３を備えている。その作用部２３は、下面がキャップ３０の頂面に当接する上壁部２３ａと、上壁部２３ａのロッカアーム２０の幅方向（左右方向）の両端から下方に延びる左右２つの側壁部２３ｂ，２３ｃとを含み構成されている。
【００２１】
なお、以下では、ロッカアーム２０の長さ方向ｐ，ｑのうちの先端側を「先端側方向ｐ」といい、基端側を「基端側方向ｑ」という。また、ロッカアーム２０の幅方向のうちの一方を「左」といい、他方を「右」という。また、ロッカアーム２０の揺動方向のうちのバルブ８をリフトする側の方向を「リフト方向Ｌ」といい、バルブ８を閉じる側の方向を「戻り方向Ｒ」という。また、ノーズ１２の頂上よりも回転方向前側（回転方向側）の部分がロッカアーム２０に作用することでロッカアーム２０がリフト方向Ｌに揺動する時を「リフト時前半」という。また、ノーズ１２の頂上よりも回転方向後側（回転方向の反対方向側）の部分がロッカアーム２０に作用することでロッカアーム２０が戻り方向Ｒに揺動するときを「リフト時後半」という。また、ベース円１１がロッカアーム２０に作用してノーズ１２がロッカアーム２０に作用しないことでバルブ８が閉じる時を「非リフト時」という。
【００２２】
［キャップ３０］
キャップ３０は、筒状部３２とその上側の開口を塞ぐ端壁部３１とからなる有底筒状の部材である。そして、このキャップ３０は、その内周面（筒状部３２の内周面）の内側に下方からステム８３の端部が挿入されることで、ステム８３の端部に取り付けられている。そして、キャップ３０の内周面（筒状部３２の内周面）とステム８３の外周面との間には、クリアランスが形成されている。そのクリアランスにより、非リフト時には、ステム８３に対してキャップ３０が回転自在になるように構成されている。
【００２３】
［回転機構４０］
回転機構４０は、リフト時後半に、キャップ３０に対してロッカアーム２０が先端側方向ｐに位置ズレするのを利用して付勢力を蓄える。そして、その後のバルブ８が閉じることでロッカアーム２０によるキャップ３０の押圧力が下がる非リフト時に、前記付勢力でキャップ３０の左側面を先端側方向ｐに付勢することでキャップ３０をその周方向の一方に回転させる。それらの繰返しで、キャップ３０をその周方向の一方に非リフト時毎に断続的に回転させる。詳しくは、この回転機構４０は、次に示す当接部４１と、付勢部４５と、係合凹部４８とを備えている。
【００２４】
当接部４１は、ボールであって、キャップ３０の左側面に当接している。詳しくは、当接部４１は、ロッカアーム２０の作用部２３の左の側壁部２３ｂに、保持器４２を介して、ロッカアーム２０の長さ方向ｐ，ｑに相対変位可能に取り付けられている。その保持器４２は、ロッカアーム２０とは別体に形成されている。その保持器４２は、作用部２３をその上下方向及び左右方向側から内底面（上壁部２３ａの下面）を除いて囲む形で、作用部２３に取り付けられている。その保持器４２の、左の側壁部２３ｂの右方に位置する部分に、ロッカアーム２０の長さ方向ｐ，ｑに延びる長方形の長孔４３が設けられている。その長孔４３に当接部４１が、その一部が長孔４３から右方に突出してキャップ３０の左側面に当接する形で取り付けられている。
【００２５】
付勢部４５は、コイルバネであって、リフト時後半にキャップ３０から当接部４１（ボール）を介して力を受けることで前記付勢力を蓄え、非リフト時に前記付勢力で当接部４１を介してキャップ３０の左側面を先端側方向ｐに付勢する。詳しくは、作用部２３の左の側壁部２３ｂの右側面には、左方に凹む取付凹部４６が凹設され、その取付凹部４６に付勢部４５（コイルバネ）がその長さ方向を左右方向（ロッカアームの幅方向）にして取り付けられている。この付勢部４５（コイルバネ）は、その長さ方向（ロッカアームの幅方向）の弾性力で当接部４１をキャップ３０の左側面に付勢し、幅方向（ロッカアームの長さ方向ｐ，ｑ）の弾性力で当接部４１を先端側方向ｐに付勢する。なお、この付勢部４５の付勢力は、バルブスプリング（図示略）の付勢力に比べて弱いため、バルブスプリングの付勢力がステム８３を介してキャップ３０に加わっているときに、キャップ３０を回転させるだけの力はない。
【００２６】
係合凹部４８，４８・・は、上下方向に延びる溝状の凹部であって、キャップ３０の側面（筒状部３２の外側面）に周方向に間隔をおいて凹設されている。そして、各２つの係合凹部４８，４８の中心間ピッチＰは、リフト時前半に当接部４１が元々係合していた係合凹部４８からその隣の係合凹部４８に移動できるよう、リフト時前半にキャップ３０に対して当接部４１がロッカアーム２０と共に基端側方向ｑに位置ズレする長さよりも小さくなっている。
【００２７】
次に、本実施例１の動弁機構１の機能を説明する。
［１］リフト時前半（ノーズ時前半）
図５ａ及び図６ａ１，ａ２に示すリフト時前半は、バルブスプリングの弾性力でキャップ３０がロッカアーム２０の作用部２３に付勢されることで、キャップ３０は回転不能になる。よって、キャップ３０は回転しない。このとき、長孔４３の先端側方向ｐの内端面に当接部４１（ボール）が当接することで、ロッカアーム２０（作用部２３）は当接部４１と共にリフト方向Ｌに揺動する。それにより、キャップ３０に対してロッカアーム２０が基端側方向ｑに当接部４１と共に位置ズレする。それにより、当接部４１が、元々係合していた係合凹部４８からそれよりも１つ基端側方向ｑの係合凹部４８に移動する。
【００２８】
［２］リフト時後半（ノーズ時後半）
図５ｂ及び図６ｂ１，ｂ２に示すリフト時後半も、バルブスプリングの弾性力でキャップ３０がロッカアーム２０の作用部２３に付勢されることで、キャップ３０は回転不能になる。よって、キャップ３０は回転しない。このとき、キャップ３０の側面の同じ係合凹部４８に当接部４１（ボール）が係合し続ける。そのため、ロッカアーム２０が戻り方向Ｒに揺動するのに従いキャップ３０がステム８３の長さ方向Ｙに当接部４１と共に変位する。それにより、キャップ３０及び当接部４１に対してロッカアーム２０が先端側方向ｐに位置ズレする。それにより、ロッカアーム２０に対して当接部４１が、長孔４３内で付勢部４５（コイルバネ）の付勢力（弾性力）に抗して基端側方向ｑに相対変位する。それにより、付勢部４５（コイルバネ）がその幅方向（基端側方向ｑ）に曲がって、付勢部４５に弾性力が蓄えられる。
【００２９】
［３］非リフト時（ベース円時）
その後の図５ｃ及び図６ｃ１，ｃ２に示す非リフト時には、バルブ８が閉じることで、バルブスプリングによるキャップ３０の付勢力及びその反作用であるロッカアーム２０（作用部２３）によるキャップ３０の押圧力が下がる（抜ける）。それにより、キャップ３０が回転自在になる。このとき、付勢部４５（コイルバネ）の幅方向（ロッカアームの長さ方向ｐ，ｑ）の弾性力で、当接部４１（ボール）がキャップ３０の左側面と共に先端側方向ｐに変位する。それにより、キャップ３０がその周方向の一方に回転する。
【００３０】
そして、それら１〜３の動作の繰返しにより、キャップ３０がその周方向の一方に非リフト時毎に断続的に回転する。
【００３１】
本実施例によれば、次のＡ〜Ｃの効果を得ることができる。
［Ａ］揺動時にキャップ３０に対してロッカアーム２０が位置ズレをするのを利用して、キャップ３０をその周方向の一方に断続的に回転させるため、内燃機関の振動等を利用してランダムに回転させる場合（従来例）とは違い、常に安定してキャップ３０が回転する。そのため、図１ｂに示すように、キャップ３０の頂面の摩耗Ｆは回転方向に分散して、頂面の一部のみに摩耗Ｆが集中しない。
［Ｂ］ロッカアーム２０に対する当接部４１の取付けは、ロッカアーム２０とは別体の保持器４２を介してなされているので、ロッカアーム２０自体の構造はさほど複雑にならない。
［Ｃ］キャップ３０の側面に当接部４１と係合する係合凹部４８，４８・・が設けられているため、当接部４１がキャップ３０の左側面と共に先端側方向ｐに変位するときに、当接部４１がキャップ３０の左側面に対して滑り難い。よって、より確実にキャップ３０を回転させることができる。
【実施例２】
【００３２】
図７ａに示す実施例２の動弁機構２は、実施例１の動弁機構１と比較して、次に示す点で相違し、その他の点で同様である。すなわち、保持器４２を備えていない。そして、ロッカアーム２０の作用部２３の左の側壁部２３ｂの右側面に、直接長孔４３が取付凹部４６と一体に設けられている。本実施例２によれば、上記Ａ，Ｃの効果を得ることができる。
【実施例３】
【００３３】
図７ｂに示す実施例３の動弁機構３は、実施例１の動弁機構１と比較して、次に示す点で相違し、その他の点で同様である。すなわち、揺動時におけるキャップ３０に対する作用部２３の上下方向の位置ズレが実施例１に比べて小さい。そのため、キャップ３０の側面の係合凹部４８，４８・・は、上下方向に長い溝状ではなく、円形状になっている。本実施例３によっても、上記Ａ〜Ｃの効果を得ることができる
【実施例４】
【００３４】
図８ａに示す実施例４の動弁機構４は、実施例１の動弁機構１と比較して、次に示す点で相違し、その他の点で同様である。すなわち、付勢部４５は、ロッカアーム２０の長さ方向ｐ，ｑに対して左右方向に斜めに延びるコイルバネである。その付勢部４５（コイルバネ）の長さ方向の弾性力で、当接部４１をキャップ３０の左側面に付勢し、かつ、先端側方向ｐにも付勢している。本実施例４によっても、上記Ａ〜Ｃの効果を得ることができる。
【実施例５】
【００３５】
図８ｂに示す実施例５の動弁機構５は、実施例１の動弁機構１と比較して、次に示す点で相違し、その他の点で同様である。すなわち、付勢部４５は、コイルバネではなく油圧装置である。その油圧装置の油圧で、当接部４１をロッカアーム２０の長さ方向ｐ，ｑに対して左右方向に斜めに付勢することで、当接部４１をキャップ３０の左側面に付勢し、かつ、先端側方向ｐにも付勢している。本実施例５によっても、上記Ａ〜Ｃの効果を得ることができる。
【実施例６】
【００３６】
図９に示す実施例６の動弁機構６は、次に示す点で実施例１と相違し、その他の点で同様である。すなわち、取付凹部４６が、作用部２３の左の側壁部２３ｂの右側面にではなく、上壁部２３ａの下面に上方に凹む形で凹設されている。その取付凹部４６に付勢部４５（コイルバネ）がその長さ方向を上下方向して取り付けられている。その付勢部４５の下端に当接部４１（ボール）が取り付けられている。そして、当接部４１がキャップ３０の上方からキャップ３０の頂面（端壁部３１の上面）の左縁部に当接している。そして、キャップ３０の頂面の縁部には、複数の円形状の係合凹部４８，４８・・が周方向に間隔を置いて凹設されている。本実施例６によっても、上記Ａ〜Ｃの効果を得ることができる。
【実施例７】
【００３７】
図１０に示す実施例７の動弁機構７は、次に示す点で実施例１と相違し、その他の点で同様である。すなわち、保持器４２には、ロッカアーム２０の長さ方向ｐ，ｑに長い長孔４３の代わりに正方形の孔４３’が設けられている。よって、当接部４１は、ロッカアーム２０に対してその長さ方向ｐ，ｑに相対変位不能になっている。そして、回転機構４０は、ステム８３とキャップ３０との間に、ラチェット等の逆回転防止機構（図示略）を備えている。その逆回転防止機構は、ステム８３に対するキャップ３０のその周方向の一方への回転は許容し、他方への回転は許容しない。次に、この動弁機構７の機能を説明する。
【００３８】
図１０ａ１，ａ２に示すリフト時前半には、ステム８３に対してロッカアーム２０が基端側方向ｑに当接部４１（ボール）と共に位置ズレする。このとき、当接部４１からは、キャップ３０の左側面に基端側方向ｑへの力（周方向の他方への回転力）が加えられが、逆回転防止機構があるためキャップ３０は回転しない。よって、キャップ３０に対してロッカアーム２０が基端側方向ｑに当接部４１（ボール）と共に位置ズレする。そのため、当接部４１は、キャップ３０の元々係合していた係合凹部４８からそれよりも１つ基端側方向ｑの係合凹部４８に移動する。
【００３９】
その後の図１０ｂ１，ｂ２に示すリフト時後半には、ステム８３に対してロッカアーム２０が先端側方向ｐに当接部４１と共に位置ズレする。このとき、キャップ３０の左側面の同じ係合凹部４８に当接部４１が係合し続ける。そのため、当接部４１がキャップ３０の左側面と共に先端側方向ｐに変位する。それにより、キャップ３０がその周方向の一方に回転する。
【００４０】
そして、それらの繰返しにより、キャップ３０がその周方向の一方にリフト時後半毎に断続的に回転する。本実施例７によっても、上記Ａ〜Ｃの効果を得ることができる。
【００４１】
なお、本発明は前記実施例の構成に限定されるものではなく、例えば次の変更例のように、発明の趣旨から逸脱しない範囲で適宜変更して具体化することもできる。
【００４２】
［変更例１］
実施例１〜７において、リフト時前半にキャップ３０に対してロッカアーム２０がその基端側にではなく先端側に位置ズレし、リフト時後半にキャップ３０に対してロッカアーム２０がその基端側に位置ズレする構成にすることで、実施例でいう「先端側方向ｐ」と「基端側方向ｑ」とが反対になるようにしてもよい。
【００４３】
［変更例２］
実施例１〜６において、保持器４２（及びその長孔４３）を係合凹部４８，４８の中心間ピッチＰ程度、先端側方向ｐにずらすとともに、リフト時後半には当接部４１（ボール）がロッカアーム２０に対してその長さ方向ｐ，ｑに相対変位不能に係合するようにしてもよい。この場合には、リフト時前半には、キャップ３０及び当接部４１に対してロッカアーム２０が基端側方向ｑに位置ズレする（当接部４１がロッカアーム２０に対して先端側方向ｐに相対変位する）ことで、付勢部４５に弾性力が蓄えられる。そして、その後のリフト時後半には、キャップ３０に対してロッカアーム２０が先端側方向ｐに当接部４１と共に位置ズレすることで、当接部４１が、元々係合していた係合凹部４８からそれよりも１つ先端側方向ｐの係合凹部４８に移動する。そして、その後の非リフト時には、付勢部４５の弾性力で当接部４１がキャップ３０の左側面と共に基端側方向ｑに変位することでキャップ３０がその周方向の他方に回転する。そして、それらの繰返しにより、キャップ３０がその周方向の他方に非リフト時毎に断続的に回転する。
【００４４】
［変更例３］
実施例７において、逆回転防止機構（図示略）を、ステム８３に対するキャップ３０のその周方向の一方への回転ではなく他方への回転を許容し、一方への回転は許容しない構成にしてもよい。この場合には、キャップ３０はその周方向の他方に、リフト時後半毎にではなくリフト時前半毎に断続的に回転する。
【００４５】
［変更例４］
実施例１〜７において、カム１０やロッカアーム２０を、バルブの駆動タイミング等の変更を行う可変機能や、バルブの駆動／休止の切換を行う切換機能をそなえたカムやロッカアームに変更してもよい。
【００４６】
［変更例５］
実施例１〜７において、左右反対に設けてもよい。
【符号の説明】
【００４７】
１    動弁機構（実施例１）
２    動弁機構（実施例２）
３    動弁機構（実施例３）
４    動弁機構（実施例４）
５    動弁機構（実施例５）
６    動弁機構（実施例６）
７    動弁機構（実施例７）
８    バルブ
１０    カム
２０    ロッカアーム
３０    キャップ
４０    回転機構
４１    当接部
４２    保持器
４５    付勢部
４８    係合凹部
Ｌ    リフト方向
Ｒ    戻り方向
ｐ    先端側方向（ロッカアームの長さ方向の一方）
ｑ    基端側方向（ロッカアームの長さ方向の他方）
【図１】
2016142231.tif 000003
【図２】
2016142231.tif 000004
【図３】
2016142231.tif 000005
【図４】
2016142231.tif 000006
【図５】
2016142231.tif 000007
【図６】
2016142231.tif 000008
【図７】
2016142231.tif 000009
【図８】
2016142231.tif 000010
【図９】
2016142231.tif 000011
【図１０】
2016142231.tif 000012
【図１１】
2016142231.tif 000013